(57)【要約】【課題】基礎の外側に配設される断熱材の外側面上に外装材が施工される基礎断熱構造において、土台側への白蟻の這い上がりを有効に防ぐ機能を備えたものを提供し、さらには、当該構造を容易に施工する。【解決手段】本発明の防蟻機能をもつ基礎断熱構造１００は、基礎２と、この基礎の上面２２ａに載せられる土台５と、基礎２の外側面に沿って配設される断熱材３と、この断熱材３の外側面上に設けられる外装材９と、防蟻材４１、４２とを備えている。とくに、防蟻材４１、４２は、基礎の上面と断熱材の上面と外装材の上面とに跨るように配置され、少なくとも下面側に防蟻機能を有する底部４１ａ、４２ａと、この底部４１ａ、４２ａから立ち上がって土台５を外側から覆い、かつ防蟻機能を有する側部４１ｂ、４２ｂとを有する。また、防蟻材４１、４２の側部４１ｂ、４２ｂの外側面を伝っての白蟻の這い上がりを阻止するように当該外側面に遮断材７が固定される。【選択図】図１
2008308834.tif 000002
【特許請求の範囲】
【請求項１】
基礎と、この基礎の上面に載せられる土台と、前記基礎の外側面に沿って配設される断熱材と、この断熱材の外側面上に設けられる外装材と、防蟻材とを備えた基礎断熱構造であって、
前記防蟻材は、前記基礎の上面と前記断熱材の上面と前記外装材の上面とに跨るように配置され、少なくとも下面側に防蟻機能を有する底部と、この底部から立ち上がって前記土台を外側から覆い、かつ防蟻機能を有する側部とを有し、
さらに、前記防蟻材の側部の外側面を伝っての白蟻の這い上がりを阻止するように当該外側面に遮断材が固定されることを特徴とする防蟻機能をもつ基礎断熱構造。
【請求項２】
請求項１記載の防蟻機能をもつ基礎断熱構造において、
前記防蟻材は、土台側防蟻テープと断熱材側防蟻テープとにより構成され、
前記土台側防蟻テープは、前記基礎の上面と前記土台の底面との間に介在しかつ少なくとも基礎の上面側に防蟻機能を有する基礎防蟻部と、前記土台の外側面を覆いかつ防蟻機能を有する第１土台防蟻部とを一体に有し、
前記断熱材側防蟻テープは、前記断熱材の上面を覆いかつ少なくとも断熱材の上面側に防蟻機能を有する断熱材防蟻部と、前記第１土台防蟻部に対して外側から重なりかつ防蟻機能を有する第２土台防蟻部とを一体に有することを特徴とする防蟻機能をもつ基礎断熱構造。
【請求項３】
請求項１または２記載の防蟻機能をもつ基礎断熱構造において、
前記防蟻材の底部が前記外装材の外側面からさらに外側に突出することを特徴とする防蟻機能をもつ基礎断熱構造。
【請求項４】
請求項１〜３のいずれかに記載の防蟻機能をもつ基礎断熱構造において、
前記遮断材は、前記防蟻材の底部のうち前記側部よりも外側に位置する部分を上から覆う部分を有する水切り部材であることを特徴とする防蟻機能をもつ基礎断熱構造。
【請求項５】
基礎と、この基礎の上面に載せられる土台と、前記基礎の外側面に沿って配設される断熱材と、この断熱材の外側面上に設けられる外装材と、を備え、かつ防蟻機能をもつ基礎断熱構造を施工するための方法であって、
前記基礎の上面と前記断熱材の上面とが略同一の高さに揃うように当該基礎の外側面に沿って断熱材を配設する工程と、
少なくとも一方の面が防蟻機能を有する防蟻面である土台側防蟻テープを、その防蟻面が前記基礎の上面に密着し、かつ、当該基礎の外側面から外側にはみ出るように当該基礎の上面上に設置する工程と、
前記土台側防蟻テープの上に前記土台を設置する工程と、
前記土台側防蟻テープのうち前記土台から外側にはみ出る部分を上側に折り返して前記土台の外側に止着する工程と、
少なくとも一方の面が防蟻機能を有する防蟻面である断熱材側防蟻テープを、その防蟻面が前記土台側防蟻テープの外側面及び前記断熱材の上面に跨ってこれらの面に密着しかつ当該断熱材側防蟻テープが前記断熱材の外側面よりも外側にはみ出る位置に、固定する工程と、
前記断熱材側防蟻テープの外側面を伝っての白蟻の這い上がりを阻止するように当該外側面に遮断材を固定する工程と、
前記断熱材側防蟻テープが前記断熱材の外側面よりも外側にはみ出る部分よりも下側の領域で当該断熱材の外側面上に前記外装材を設ける工程と、を含むことを特徴とする防蟻機能をもつ基礎断熱構造の施工方法。
【請求項６】
請求項５記載の防蟻機能をもつ基礎断熱構造の施工方法において、
前記土台側防蟻テープ及び前記断熱材側防蟻テープとして、その防蟻面側に防蟻機能を有する粘着層が配された粘着テープを用いることを特徴とする防蟻機能をもつ基礎断熱構造の施工方法。
【請求項７】
請求項５または６記載の防蟻機能をもつ基礎断熱構造の施工方法において、
前記断熱材側防蟻テープを固定する工程では、当該断熱材側防蟻テープの上端部を前記土台側防蟻テープの上端よりも高い位置で前記土台側に固定することを特徴とする防蟻機能をもつ基礎断熱構造の施工方法。
【請求項８】
請求項５〜７のいずれかに記載の防蟻機能をもつ基礎断熱構造の施工方法において、
前記断熱材側防蟻テープが前記外装材の外側面からさらに外側に突出するように当該断熱材側防蟻テープを固定することを特徴とする防蟻機能をもつ基礎断熱構造の施工方法。
【請求項９】
請求項５〜８のいずれかに記載の防蟻機能をもつ基礎断熱構造の施工方法において、
前記遮断材として、前記防蟻材の底部のうち前記側部よりも外側に位置する部分を上から覆う部分を有する水切り部材を用いることを特徴とする防蟻機能をもつ基礎断熱構造の施工方法。
【発明の詳細な説明】
【技術分野】
【０００１】
本発明は、基礎の外側に断熱材が設けられる基礎断熱構造であってかつ防蟻機能を有する構造、及びその施工方法に関するものである。
【背景技術】
【０００２】
近年、住宅の断熱化、気密化が進むにつれ、床に断熱材が施工される床断熱構造に代え、基礎の外側に断熱材を施工する基礎断熱構造の採用が活発化されている。しかし、このような構造では、下記のように前記断熱材を蟻道にして白蟻が這い上がるおそれがある。
【０００３】
前記白蟻は、暗がりをその行動範囲としている。従って、基礎の外側に断熱材が存在しない場合には、当該基礎の外側から土台側へ白蟻が這い上がってくることはない。ところが、その基礎の外側に例えば発泡樹脂からなる断熱材が施工されていると、この断熱材を白蟻が食い破りながら地中から這い上がり、土台に到達してしまうおそれがある。
【０００４】
従来、このような断熱材を経路とする白蟻の這い上がりを防ぐための構造として、例えば特許文献１に記載されるように、当該断熱材の上端部分を覆う遮断材を備えたものが知られている。
【特許文献１】特開２０００−１７７４７号公報
【発明の開示】
【発明が解決しようとする課題】
【０００５】
前記断熱材の外側面上には、モルタル等からなる外装材が施工される場合がある。その場合、当該外装材と前記断熱材との隙間が蟻道になるおそれがある。すなわち、当該外装材が施工された構造では、たとえ前記断熱材の上端が遮断材で覆われていても、この断熱材を食い破った白蟻が当該断熱材と外装材との隙間から土台側に這い上がり、あるいは当該断熱材と外装材との隙間をそのまま這い上がるおそれがある。
【０００６】
本発明は、このような事情に鑑み、基礎の外側に配設される断熱材の外側面上に外装材が施工される基礎断熱構造において、土台側への白蟻の這い上がりを有効に防ぐ機能を備えたものを提供し、さらには、当該構造を容易に施工することができる方法を提供することを目的とする。
【課題を解決するための手段】
【０００７】
本発明の防蟻機能をもつ基礎断熱構造によれば、基礎と、この基礎の上面に載せられる土台と、前記基礎の外側面に沿って配設される断熱材と、この断熱材の外側面上に設けられる外装材と、防蟻材とを備えた基礎断熱構造であって、前記防蟻材は、前記基礎の上面と前記断熱材の上面と前記外装材の上面とに跨るように配置され、少なくとも下面側に防蟻機能を有する底部と、この底部から立ち上がって前記土台を外側から覆い、かつ防蟻機能を有する側部とを有し、さらに、前記防蟻材の側部の外側面を伝っての白蟻の這い上がりを阻止するように当該外側面に遮断材が固定されることにより、上記目的が達成される。
【０００８】
また、前記防蟻材は、土台側防蟻テープと断熱材側防蟻テープとにより構成され、前記土台側防蟻テープは、前記基礎の上面と前記土台の底面との間に介在しかつ少なくとも基礎の上面側に防蟻機能を有する基礎防蟻部と、前記土台の外側面を覆いかつ防蟻機能を有する第１土台防蟻部とを一体に有し、前記断熱材側防蟻テープは、前記断熱材の上面を覆いかつ少なくとも断熱材の上面側に防蟻機能を有する断熱材防蟻部と、前記第１土台防蟻部に対して外側から重なりかつ防蟻機能を有する第２土台防蟻部とを一体に有することが好ましい。
【０００９】
また、前記防蟻材の底部が前記外装材の外側面からさらに外側に突出することが好ましい。
【００１０】
また、前記遮断材は、前記防蟻材の底部のうち前記側部よりも外側に位置する部分を上から覆う部分を有する水切り部材であることが好ましい。
【００１１】
さらに、本発明の防蟻機能をもつ基礎断熱構造の施工方法によれば、基礎と、この基礎の上面に載せられる土台と、前記基礎の外側面に沿って配設される断熱材と、この断熱材の外側面上に設けられる外装材と、を備え、かつ防蟻機能をもつ基礎断熱構造を施工するための方法であって、前記基礎の上面と前記断熱材の上面とが略同一の高さに揃うように当該基礎の外側面に沿って断熱材を配設する工程と、少なくとも一方の面が防蟻機能を有する防蟻面である土台側防蟻テープを、その防蟻面が前記基礎の上面に密着し、かつ、当該基礎の外側面から外側にはみ出るように当該基礎の上面上に設置する工程と、前記土台側防蟻テープの上に前記土台を設置する工程と、前記土台側防蟻テープのうち前記土台から外側にはみ出る部分を上側に折り返して前記土台の外側に止着する工程と、少なくとも一方の面が防蟻機能を有する防蟻面である断熱材側防蟻テープを、その防蟻面が前記土台側防蟻テープの外側面及び前記断熱材の上面に跨ってこれらの面に密着しかつ当該断熱材側防蟻テープが前記断熱材の外側面よりも外側にはみ出る位置に、固定する工程と、前記断熱材側防蟻テープの外側面を伝っての白蟻の這い上がりを阻止するように当該外側面に遮断材を固定する工程と、前記断熱材側防蟻テープが前記断熱材の外側面よりも外側にはみ出る部分よりも下側の領域で当該断熱材の外側面上に前記外装材を設ける工程と、を含むことにより、上記目的が達成される。
【００１２】
また、前記土台側防蟻テープ及び前記断熱材側防蟻テープとして、その防蟻面側に防蟻機能を有する粘着層が配された粘着テープを用いることが好ましい。
【００１３】
また、前記断熱材側防蟻テープを固定する工程では、当該断熱材側防蟻テープの上端部を前記土台側防蟻テープの上端よりも高い位置で前記土台側に固定することが好ましい。
【００１４】
また、前記断熱材側防蟻テープが前記外装材の外側面からさらに外側に突出するように当該断熱材側防蟻テープを固定することが好ましい。
【００１５】
また、前記遮断材として、前記防蟻材の底部のうち前記側部よりも外側に位置する部分を上から覆う部分を有する水切り部材を用いることが好ましい。
【発明の効果】
【００１６】
本発明の請求項１の防蟻機能をもつ基礎断熱構造によれば、基礎の外側に配設される断熱材の外側面上に外装材が施工される基礎断熱構造において、防蟻材の底部によって、基礎、断熱材および外装材の上面に白蟻が這い上がるのを防止し、さらに、万が一、白蟻が防蟻材の底部の上方まで這い上がって来たとしても、防蟻材の側部が、土台の外側面の防御壁のように機能し、また、側部の外側面に固定された遮断材が、側部の上端へ白蟻が這い上がるのを阻止するので、白蟻は土台の外側面に到達しえない。したがって、土台側への白蟻の這い上がりを有効に防ぐことができる。
【００１７】
また、請求項２の防蟻機能をもつ基礎断熱構造によれば、２枚の防蟻テープをそれぞれ折り曲げて土台の回りに取り付けるだけで、既存の防蟻テープを用いても、２方向からの白蟻の侵入を簡単かつ確実に防ぐことができる。
【００１８】
また、請求項３の防蟻機能をもつ基礎断熱構造によれば、防蟻材の底部が前記外装材の外側面からさらに外側に突出することにより、白蟻が、防蟻材を乗り超えて土台側へ辿り着くのを防止することができる。
【００１９】
また、請求項４の防蟻機能をもつ基礎断熱構造によれば、遮断材は、防蟻材の底部のうち側部よりも外側に位置する部分を上から覆う部分を有する水切り部材であることにより、防蟻施工部分を雨水等から保護しつつ、土台の外側面への白蟻の這い上がりを防ぐ、という２つの機能を単一の部材に受け持たせることができる。
【００２０】
さらに、請求項５の防蟻機能をもつ基礎断熱構造の施工方法によれば、土台側防蟻テープおよび断熱材側防蟻テープをそれぞれ折り曲げて土台の周りに固定するだけで、土台側への白蟻の這い上がりを有効に防ぐ機能を備えた基礎断熱構造を容易に施工することができる。
【００２１】
また、請求項６の防蟻機能をもつ基礎断熱構造の施工方法によれば、土台側防蟻テープ及び断熱材側防蟻テープとして、その防蟻面側に防蟻機能を有する粘着層が配された粘着テープを用いることにより、防蟻材を取り付け面に対して密着させた状態で簡単に固定することができる。
【００２２】
また、請求項７の防蟻機能をもつ基礎断熱構造の施工方法によれば、断熱材側防蟻テープを固定する工程では、断熱材側防蟻テープの上端部を土台側防蟻テープの上端よりも高い位置で土台側に固定することにより、土台の外側面を防蟻材で広範囲に被覆することができる。
【００２３】
また、請求項８の防蟻機能をもつ基礎断熱構造の施工方法によれば、断熱材側防蟻テープが外装材の外側面からさらに外側に突出するように断熱材側防蟻テープを固定することにより、白蟻が、断熱材側防蟻テープを乗り超えて土台の方へ這い上がるのを防止できる。
【００２４】
また、請求項９の防蟻機能をもつ基礎断熱構造の施工方法によれば、遮断材として、防蟻材の底部のうち側部よりも外側に位置する部分を上から覆う部分を有する水切り部材を用いることにより、防蟻施工部分を雨水等から保護しつつ、土台の外側面への白蟻の這い上がりを防ぐ、という２つの機能を単一の部材に受け持たせることができる。
【発明を実施するための最良の形態】
【００２５】
本発明の防蟻機能をもつ基礎断熱構造は、基礎と、この基礎の上面に載せられる土台と、基礎の外側面に沿って配設される断熱材と、この断熱材の外側面上に設けられる外装材と、防蟻材とを備えている。とくに、防蟻材は、基礎の上面と断熱材の上面と外装材の上面とに跨るように配置され、少なくとも下面側に防蟻機能を有する底部と、この底部から立ち上がって土台を外側から覆い、かつ防蟻機能を有する側部とを有する。さらに、防蟻材の側部の外側面を伝っての白蟻の這い上がりを阻止するように当該外側面に遮断材が固定される。
【００２６】
ここで、本明細書中において、土台とは、土台そのものに加えて、土台および土台に隣接して設けられたスペーサをも含む概念である。
【００２７】
以下で、本発明の防蟻機能をもつ基礎断熱構造について図面を用いて詳細に説明する。
（実施の形態１）
図１は、実施の形態１の防蟻機能をもつ基礎断熱構造１００を説明するための断面図である。実施の形態１の防蟻機能をもつ基礎断熱構造１００は、図１に示されるように、基礎２と、基礎２の上面２２ａに載せられる土台５と、基礎２の外側面２２ｂに沿って配設される断熱材３と、断熱材３の外側面上に設けられる外装材９と、防蟻材４と、遮断材７とから構成されている。なお、基礎２の内側（図１中、紙面右側）の地盤面Ｇ．Ｌ上に設けられているのは土間コンクリートである。
【００２８】
基礎２は、図１の紙面垂直方向に連続して延びており、この実施の形態では横断面が逆Ｔ字状を呈したコンクリート製の布基礎である。基礎２は、裾部２１と、裾部２１のほぼ中央から直立するように設けられた立直部２２とから構成されている。裾部２１の全体と、立直部２２の下側部分は、地中に埋設されている。
【００２９】
土台５は、柱８の底部を支えるための木製の長尺部材である。土台５は、基礎２の立直部上面２２ａ上に、その長手方向を基礎２の長手方向に沿わせて載置され、立直部２２に埋め込まれたアンカーボルトを介して基礎２に固定される。
【００３０】
断熱材３は、基礎２の外方（図１中、紙面左側）側面を被覆するように、立直部２２の立直部外側面２２ｂに当接させて設けられている。断熱材３の上面（以下、端面という）３ａおよび基礎２の立直部上面２２ａは、同一の高さに揃えられている。断熱材３としては、とくに限定されるものではないが、たとえば、発泡ポリスチレン、発泡ポリエチレン、発泡ポリウレタンなどの発泡樹脂などを用いることができる。
【００３１】
外装材９は、断熱材３の外側、すなわち、断熱材３が立直部外側面２２ｂと接している面の反対側の面に接するように設けられている。外装材９としては、とくに限定されるものではないが、たとえば、モルタルなどを用いることができる。
【００３２】
防蟻材４は、基礎２の立直部上面２２ａと断熱材３の端面３ａと外装材９の上面とに跨るように配置されている。具体的には、図１に示されるように、防蟻材４は、２枚の防蟻テープからなり、さらに、防蟻材４を構成する２枚の防蟻テープには、その貼り付け位置と防蟻箇所に応じて、土台側防蟻テープ４１と、断熱材側防蟻テープ４２とがある。防蟻テープの長手方向が基礎２の長手方向に沿うように配置されている。本実施の形態では、防蟻テープとして、片面に粘着層が配されており、その粘着層に防蟻機能を有し、帯状のものを用いる。本発明では、従来から防蟻テープとして使用されているものをそのまま活用することもできる。とくに、防蟻テープの幅は土台５の幅より長いことが好ましい。
【００３３】
土台側防蟻テープ４１は、基礎２の立直部上面２２ａと土台５の底面（以下、下面という）５ｂとの間に介在しかつ基礎２の立直部上面２２ａ側に防蟻機能を有する基礎防蟻部４１ａと、土台５の外側面５ａを覆いかつ防蟻機能を有する第１土台防蟻部４１ｂとを一体に有する。具体的には、土台側防蟻テープ４１は、土台５に直接接するように設けられている。また、土台側防蟻テープ４１は、土台５の下面５ｂ側であって、基礎２の立直部上面２２ａ上に、その粘着面を立直部上面２２ａへ向けて隙間なく密着して貼り付けられている基礎防蟻部４１ａと、土台５の外側面５ａに粘着面を外側（図１中、紙面左側）へ向けてピン６などにより固定された第１土台防蟻部４１ｂとを有する。基礎防蟻部４１ａと第１土台防蟻部４１ｂとは、一体に設けられたものであり、本実施の形態では、一枚の土台側防蟻テープ４１が、その横断面が略Ｌ字状になるように長手方向に沿って折り曲げられることによって、土台側防蟻テープ４１に基礎防蟻部４１ａと第１土台防蟻部４１ｂとが形成される。
【００３４】
断熱材側防蟻テープ４２は、断熱材３の端面３ａを覆いかつ断熱材３の端面３ａ側に防蟻機能を有する断熱材防蟻部４２ａと、第１土台防蟻部４１ｂに対して外側から重なりかつ防蟻機能を有する第２土台防蟻部４２ｂとを一体に有する。具体的には、断熱材側防蟻テープ４２は、その粘着面を土台５側、および、断熱材３の端面３ａ側へ向けて固定されている。さらに、断熱材側防蟻テープ４２は、上述の土台側防蟻テープ４１の第１土台防蟻部４１ｂによって覆われている土台５の外側面５ａを超えて、土台５の外側面５ａを広く被覆するように設けられた第２土台防蟻部４２ｂと、断熱材３の端面３ａおよび外装材９の端面を覆うように水平に設けられ、断熱材防蟻テープ４２の長手側の側部を外装材９より外方（図１中、紙面左方向）へ突出させた蟻返し４２ｃを含む断熱材防蟻部４２ａとを有する。蟻返し４２ｃは、いわゆる鼠返しと同様に機能し、外装材９の外側上方に到達した白蟻が、断熱材防蟻テープ４２の長手側の側縁を乗り越えて土台５に到達するのを防ぐ。第２土台防蟻部４２ｂと断熱材防蟻部４２ａとは、一体に設けられたものであり、本実施の形態では、一枚の断熱材側防蟻テープ４２が、その横断面が略Ｌ字状になるように長手方向に沿って折り曲げられることによって、断熱材側防蟻テープ４２に断熱材防蟻部４２ａと第２土台防蟻部４２ｂとが形成される。
【００３５】
このように、本実施の形態の防蟻材４は、土台５の下面側に防蟻機能を有する底部（前述の基礎防蟻部４１ａ、断熱材防蟻部４２ａ）と、この底部（前述の基礎防蟻部４１ａ、断熱材防蟻部４２ａ）から立ち上がって土台５を外側から覆い、かつ防蟻機能を有する側部（前述の第１土台防蟻部４１ｂ、第２土台防蟻部４２ｂ）とを有する。
【００３６】
さらに、本実施の形態の防蟻機能をもつ基礎断熱構造１００は、防蟻材４の側部すなわち、第２土台防蟻部４２ｂおよび第１土台防蟻部４１ｂの外側面を伝っての白蟻の這い上がりを阻止するように、その外側面に遮断材７が固定されている。遮断材７は、防蟻材４の底部（基礎防蟻部４１ａ、断熱材防蟻部４２ａ）のうち側部（第１土台防蟻部４１ｂ、第２土台防蟻部４２ｂ）よりも外側に位置する部分を上から覆う部分を有する水切り部材である。遮断材７は、土台５の外側に、土台５の長手方向（図１中、紙面垂直方向）に沿って設けられる長尺の部材である。遮断材７は、図１に示されるように、第２土台防蟻部４２ｂの外側に密着して設けられた当接部７１と、当接部７１の下部から突出し、当接部７１に対して傾斜して設けられた傾斜部７２と、傾斜部７２の端部から垂直下方に突出して設けられた垂下部７３とを有する。遮断材７は、当接部７１を釘打ちすることにより、第２防蟻部４２の外側に密着して固定される。遮断材７の材質としては、防水性があり、白蟻が食い破ることができない素材であればとくに限定されないが、たとえば、ステンレス鋼、銅、アルミニウム、鉄、プラスチック、合金、セラミックなどを用いることができる。遮断材７に対しても、防蟻機能が付加されていることがより好ましい。
【００３７】
この基礎断熱構造では、次のようにして防蟻効果が達成される。白蟻は、断熱材３を食って、あるいは断熱材３と外装材９の間を通って断熱材３の端面３ａへ到達するおそれがあるが、断熱材３の端面３ａと外装材９の上面とに跨って断熱材防蟻部４２ａが存在し、その断熱材防蟻部４２ａの下面には防蟻粘着面が設けられているので、白蟻は断熱材防蟻部４２ａよりも上側に這い上がることができない。また、土台側では、基礎２の立直部上面２２ａに基礎防蟻部４１ａが存在し、その基礎防蟻部４１ａの下面には防蟻粘着面が設けられているので、白蟻は土台５の下面５ｂと基礎２の立直部上面２２ａとの間から侵入することもできない。さらに、この実施の形態では、蟻返し４１ｃが存在するので、仮に白蟻が外装材９から外に抜け出ることができたとしても、白蟻が断熱材防蟻部４２ａの上側に乗り越えることを効果的に抑制することができる。万が一、白蟻が断熱材防蟻部４２ａの上面まで辿り着いたとしても、防蟻機能をもつ第１土台防蟻部４１ｂと第２土台防蟻部４２ｂとの重なり部分が土台５の外側面５ａを覆っているので、白蟻は、第２土台防蟻部４２ｂおよび第１土台防蟻部４１ｂを食い破って土台５の外側面５ａに到達することができない。また、第２土台防蟻部４２ｂに遮断材７が密着固定されているので、白蟻は、第２土台防蟻部４２ｂの外側面を伝って上方に這い上がることもできない。したがって、土台５の外側面５ａを白蟻から完全に防御することができる。
【００３８】
上記の構成をもつ基礎断熱構造１００の施工方法について、以下で図２〜図６を用いて説明する。本実施の形態の防蟻機能をもつ基礎断熱構造１００の施工方法は、（１）基礎２の立直部上面２２ａと断熱材３の端面３ａとが略同一の高さに揃うように基礎２の外側面２２ｂに沿って断熱材３を配設する工程と、（２）一方の面が防蟻機能を有する防蟻面である土台側防蟻テープ４１を、その防蟻面が基礎２の立直部上面２２ａに密着し、かつ、当該基礎２２の外側面２２ｂから外側にはみ出るように当該基礎２の立直部上面２２ａ上に設置する工程と、（３）土台側防蟻テープ４１の上に土台５を設置する工程と、（４）土台側防蟻テープ４１のうち土台５から外側にはみ出る部分を上側に折り返して土台５の外側面５ａに止着する工程と、（５）一方の面が防蟻機能を有する防蟻面である断熱材側防蟻テープ４２を、その防蟻面が土台側防蟻テープ４１の外側面及び断熱材３の端面３ａに跨ってこれらの面に密着しかつ断熱材側防蟻テープ４２が断熱材３の外側面よりも外側にはみ出る位置に、固定する工程と、（６）断熱材側防蟻テープ４２の外側面を伝っての白蟻の這い上がりを阻止するように外側面に遮断材７を固定する工程と、（７）断熱材側防蟻テープ４２が断熱材３の外側面よりも外側にはみ出る部分よりも下側の領域で断熱材の外側面上に外装材９を設ける工程とを含む。以下で、本実施の形態の防蟻機能をもつ基礎断熱構造１００の施工方法について、順を追って具体的に説明する。
【００３９】
（１）まず、地中に基礎２を設置する。基礎２の立直部上面２２ａと断熱材３の端面３ａとが略同一の高さに揃うように基礎２の外側面２２ｂに沿って断熱材３を配設する（図２参照）。
【００４０】
（２）つぎに、作業者は、出隅部（２つの壁などが或る角度をもって出会う所の外方の隅）および入隅部（２つの壁などが或る角度をもって出会う所の内方の隅）において、土台側防蟻テープ４１を貼り付ける前に、あらかじめ、防蟻テープの小片を隅部の上面を覆うように貼り付けておく。つぎに、作業者は、土台側防蟻テープ４１を、土台側防蟻テープ４１の長手方向を基礎２の長手方向に沿わせて、その防蟻機能を有する面（すなわち粘着面）を基礎２の立直部上面２２ａに向けて貼り付ける。このとき、土台側防蟻テープ４１の基礎２の立直部上面２２ａ上に位置している部分については、作業者が手作業で土台側防蟻テープ４１を押圧することにより、土台側防蟻テープ４１を基礎２の立直部上面２２ａに圧着させ、基礎２の立直部上面２２ａから外側（図３中、紙面左側）、すなわち、断熱材３の端面３ａ上にはみ出している部分には、作業者による押圧作業を行わず、土台側防蟻テープ４１を圧着させない。また、出隅部および入隅部では、土台側防蟻テープ４１が交差するように重ねる。このように、防蟻テープの隙間が発生しやすい出隅部と入隅部では、防蟻テープの境界を覆うように防蟻テープを重複させて設ける。
【００４１】
（３）つぎに、作業者は、図４に示されるように、基礎２２の立直部上面２２ａ上であって、土台側防蟻テープ４１上に土台５を載置する。このときに、土台側防蟻テープ４１の土台５が載せられた部分が、基礎防蟻部４１ａ（底部）であり、土台５が載せられていない部分は、第１土台防蟻部４１ｂ（側部）である。
【００４２】
（４）つぎに、作業者は、第１土台防蟻部４１ｂを土台５の外側面５ａに接するように約９０度折り曲げる。このとき、土台側防蟻テープ４１の粘着面は土台５に接する側ではなく外方（図５中、紙面左側）を向いている。したがって、作業者は、第１土台防蟻部４１ｂの表面から土台５へ向けて、タッカーなどを用いてピン６を打ち込むことにより、第１土台防蟻部４１ｂが折り曲げられた状態を維持する。このとき、前処理で出隅部および入隅部に貼り付けた防蟻テープの小片は、そのまま折り曲げずに基礎２の立直部上面２２ａおよび断熱材３の端面３ａに貼り付けておく。
【００４３】
（５）つぎに、作業者は、断熱材側防蟻テープ４２を、防蟻テープ４２の長手方向が土台５の長手方向に沿うように、かつ、その粘着面が土台５の外側面５ａに向かい合うように貼り付ける。このとき、作業者は、断熱材側防蟻テープ４２の第２土台防蟻部４２ｂの長手側側縁（断熱材側防蟻テープの上端部）が、第１土台防蟻部４１ｂの長手側側縁（土台側防蟻テープの上端）より上方の位置になるように、断熱材側防蟻テープ４２を土台５の外側面５ｂに貼り付ける。そして、作業者は、貼り付けた断熱材側防蟻テープ４２の横断面が略Ｌ字状になるように、木片、ヘラ、コテなどを用いて断熱材側防蟻テープ４２を型押しする。なお、断熱材防蟻部４２ａに蟻返し部４２ｃを設ける場合には、断熱材３の外側面より外方へ後述の外装材９の厚さに応じて約１８〜３０ｍｍだけ突出させておく（図６参照）。
【００４４】
この後、土台５上に柱８や外壁などの施工を行う。
【００４５】
（６）つぎに、作業者は、遮断材７の当接部７１を、断熱材側防蟻テープ４２の第２土台防蟻部４２ｂの外側に密着させて、釘打ちすることにより固定する（図１参照）。
【００４６】
（７）最後に、作業者は、断熱材３の外側面を覆うように外装材９を設ける（図１参照）。上述の蟻返し部４２ａ１は、少なくとも１５ｍｍ程度、この外装材９の外側面より外方（図１中、紙面左側）に突出していることが好ましい。
【００４７】
以上の実施の形態１の防蟻機能をもつ基礎断熱構造１００によれば、土台５の周縁の白蟻が到達しやすい部分を直接防御するように、２枚の防蟻テープ４１、４２からなる防蟻材４を土台５の周りに配置することにより、基礎２の外側に配設される断熱材３の外側面上に外装材９が施工される基礎断熱構造において、土台５側への白蟻の這い上がりを有効に防ぎつつ、当該構造を容易に施工することができる。
【００４８】
なお、上記実施の形態では、防蟻材４が、土台側防蟻テープ４１と断熱材側防蟻テープ４２との別々の２つのテープにより構成されている形態について説明したが、本発明はこれに限定されるものではなく、防蟻材４として用いられるテープは、単一のテープであってもよいし、別々のテープであってもよい。
【００４９】
また、上記実施の形態では、防蟻材４が２枚の防蟻テープ（土台側防蟻テープ４１と断熱材側防蟻テープ４２）である場合について説明したが、本発明はこれに限定されるものではなく、防蟻機能をもつ底部および側部がある防蟻材であれば、必ずしもテープでなくてよい。たとえば、底部と側部とが一体に形成された単一の成型品であってもよい。
【００５０】
また、上記実施の形態では、布基礎に防蟻材４を貼り付けた形態について説明したが、本発明はこれに限定されるものではなく、スラブ状に施工されたベタ基礎に防蟻材４を貼り付けた形態であってもよい。
【００５１】
また、上記実施の形態では、防蟻テープ４１、４２の片面のみが防蟻機能をもつ粘着面である場合について説明したが、本発明はこれに限定されるものではなく、防蟻機能をもつ粘着面が防蟻テープの両面にあるものであってもよいし、防蟻テープの粘着層ではなく、シート本体に防蟻機能を付加したものであってもよい。
【００５２】
また、上記実施の形態では、防蟻材４の側部（第１土台防蟻部４１ｂ、第２土台防蟻部４２ｂ）が直接土台５そのものに当接するように設けられた形態について説明したが、本発明はこれに限定されるものではなく、図７に示されるように、柱８の外側に断熱材３０を設けて建築物を断熱構造にする場合に、土台５に隣接して設けられたスペーサ５１に対して側部（第１土台防蟻部４１ｂ、第２土台防蟻部４２ｂ）を固定してもよい。とくに、防蟻機能が付加されたスペーサ５１を用いると、より効果的に白蟻の侵蝕を防止することができる。
【図面の簡単な説明】
【００５３】
【図１】実施の形態１の防蟻機能をもつ基礎断熱構造を説明するための断面図である。
【図２】実施の形態１の防蟻機能をもつ基礎断熱構造の施工方法を説明するための断面図であり、基礎と断熱材が設置された状態を示す。
【図３】実施の形態１の防蟻機能をもつ基礎断熱構造の施工方法を説明するための断面図であり、基礎と断熱材の上面に土台側防蟻テープが配置された状態を示す。
【図４】実施の形態１の防蟻機能をもつ基礎断熱構造の施工方法を説明するための断面図であり、土台側防蟻テープ上に土台が設置された状態を示す。
【図５】実施の形態１の防蟻機能をもつ基礎断熱構造の施工方法を説明するための断面図であり、土台側防蟻テープの第１土台防蟻部を土台の側面に接するように折り曲げた状態を示す。
【図６】実施の形態１の防蟻機能をもつ基礎断熱構造の施工方法を説明するための断面図であり、断熱材側防蟻テープを貼り付けた状態を示す。
【図７】他の実施の形態の防蟻機能をもつ基礎断熱構造を説明するための断面図である。
【符号の説明】
【００５４】
２  基礎
２２ａ  立直部上面（基礎の上面）
３  基礎断熱材（断熱材）
３ａ  端面（断熱材の上面）
４  防蟻材
４１  土台側防蟻テープ
４１ａ  基礎防蟻部（底部）
４１ｂ  第１土台防蟻部（側部）
４２  断熱材側防蟻テープ
４２ａ  断熱材防蟻部（底部）
４２ｂ  第２土台防蟻部（側部）
４２ｃ  蟻返し
５  土台
５ａ  外側面（土台の外側面）
５ｂ  下面（土台の底面）
７  水切り部材（遮断材）
９  外装材
１００  防蟻機能をもつ基礎断熱構造
【図１】
2008308834.tif 000003
【図２】
2008308834.tif 000004
【図３】
2008308834.tif 000005
【図４】
2008308834.tif 000006
【図５】
2008308834.tif 000007
【図６】
2008308834.tif 000008
【図７】
2008308834.tif 000009